(57)【要約】【課題】置き干しするのに邪魔な部材がなく、うまく置き干しすることができるとともに、必要以上に場所を占有することのない物干し具を提供する。【解決手段】２本の棒状部材１，２が回動継手３により、側面視においてＸ形状に交差軸着されて開閉自在となされた脚体４が相対向して左右一対設けられ、該一対の脚体４の各棒状部材１，２の上端部間に横パイプ８，９が架け渡されるとともに、左右の前記回動継手３が軸部材５で連結されてなる物干し具Ｐであって、２本の前記横パイプ８，９の間に、物干し棚１０，１１が水平に配置されるようにする。【選択図】        図１
2016007455.tif 000002
【特許請求の範囲】
【請求項１】
２本の棒状部材が回動継手により、側面視においてＸ形状に交差軸着されて開閉自在となされた脚体が相対向して左右一対設けられ、該一対の脚体の各棒状部材の上端部間に横パイプが架け渡されるとともに、左右の前記回動継手が軸部材で連結されてなる物干し具であって、２本の前記横パイプの間に、物干し棚が水平に配置されていることを特徴とする物干し具。
【請求項２】
前記物干し棚は、２本の前記横パイプのそれぞれに、相対向して取付けられていることを特徴とする請求項１に記載の物干し具。
【請求項３】
前記横パイプの左右端部には取付部材が取付けられ、左右一対の前記取付部材に前記物干し棚の前後方向の一端を連結し、前記横パイプに対して前記物干し棚を回動自在に取付けるようにしたことを特徴とする請求項１又は２に記載の物干し具。
【請求項４】
前記物干し棚は、左右一対の支持アームを備え、該支持アームの取付部材側端には支持アーム用軸体が取付けられ、該支持アーム用軸体が前記取付部材に回動自在に取付けられていることを特徴とする請求項３に記載の物干し具。
【請求項５】
前記支持アームの取付部材側端部には、前記横パイプの外形に対応した凹溝状の横パイプ受け部が設けられ、前記横パイプに前記横パイプ受け部が当接され、前記物干し棚の回動が阻止されていることを特徴とする請求項３又は４に記載の物干し具。
【発明の詳細な説明】
【技術分野】
【０００１】
本発明は、２本の脚杆が回動継手によりＸ形状に交差軸着されて開閉回動可能となされた脚体が相対向して左右一対設けられ、該一対の脚体の各脚杆上端部間に物干し用横桟が架設された物干し具に関するに関するものである。
【背景技術】
【０００２】
この種の物干し具は、物干しを行いたい場合には、脚体をＸ字状に開脚させて床面に踏ん張らせる使用状態にしてから、物干し棚に物干しを行わせることができるものが既に提案されている。これは、左右の各脚体を構成する２本の棒状部材それぞれの下部側部位に、物干し棚取付用ブラケットを固定し、それらブラケットに物干し棚を構成する左右のアーム部の一端を枢支連結して、物干し具の前後に水平姿勢の物干し棚を備えさせることができるようにしている（例えば、特許文献１参照）。
【先行技術文献】
【特許文献】
【０００３】
【特許文献１】特開２００５−３４８９０８号公報（図１参照）
【発明の概要】
【発明が解決しようとする課題】
【０００４】
しかしながら、上記従来の物干し具にあっては、脚体は２本の脚杆がＸ形状に交差され、該交差部分において回動継手により開閉回動可能に軸着され、左右の前記回動継手が軸により連結・軸支され、前記軸が前記物干し棚から離間して上方に配置されているので、前記物干し棚の上面にセーターや枕等を載置して干す、所謂置き干しする際、前記軸が邪魔になり、うまく置き干しできないものであった。
【０００５】
本発明は、置き干しするのに邪魔な部材がなく、うまく置き干しすることができるとともに、必要以上に場所を占有することのない物干し具を提供せんとするものである。
【課題を解決するための手段】
【０００６】
上記目的を達成するために、本発明は次のような構成としている。
すなわち本発明に係る物干し具は、２本の棒状部材が回動継手により、側面視においてＸ形状に交差軸着されて開閉自在となされた脚体が相対向して左右一対設けられ、該一対の脚体の各棒状部材の上端部間に横パイプが架け渡されるとともに、左右の前記回動継手が軸部材で連結されてなる物干し具であって、２本の前記横パイプの間に、物干し棚が水平に配置されていることを特徴とするものである。
【０００７】
また本発明に係る物干し具において、前記物干し棚を、２本の前記横パイプのそれぞれに、相対向して取付けるようにしてもよい。
【０００８】
また本発明に係る物干し具において、前記横パイプの左右端部には取付部材が取付けられ、左右一対の前記取付部材に前記物干し棚の前後方向の一端を連結し、前記横パイプに対して前記物干し棚を回動自在に取付けるようにしてもよい。
【０００９】
また本発明に係る物干し具において、前記物干し棚は、左右一対の支持アームを備え、該支持アームの取付部材側端には支持アーム用軸体が取付けられ、該支持アーム用軸体が前記取付部材に回動自在に取付けるようにしてもよい。
【００１０】
また本発明に係る物干し具において、前記支持アームの取付部材側端部には、前記横パイプの外形に対応した凹溝状の横パイプ受け部が設けられ、前記横パイプに前記横パイプ受け部が当接され、前記物干し棚の回動が阻止されるようにしてもよい。
【発明の効果】
【００１１】
本発明に係る物干し具によれば、２本の前記横パイプの間に、物干し棚が水平に配置されているので、干し物の置き干しを好適に実施することができる。
【００１２】
また本発明に係る物干し具によれば、前記物干し棚を、２本の前記横パイプのそれぞれに、相対向して取付けているので、置き干しするスペースを大きくとりつつ、物干し棚が物干し具の外側に突出することがないため、物干し具を設置するスペースは従前と同じくすることができる。
【００１３】
また本発明に係る物干し具によれば、前記横パイプの左右端部には取付部材が取付けられ、左右一対の前記取付部材に前記物干し棚の前後方向の一端を連結し、前記横パイプに対して前記物干し棚を回動自在に取付けるようになされているので、物干し具を使用する際には、前記物干し棚を水平とし、その上面に干し物を載置して干すことができ、物干し具を収納する際には、脚体を閉脚しつつ、水平の物干し棚を回動させて垂直にし、物干し具の厚みを小さくすることができ、狭いスペースにも収納することができる。
【００１４】
また本発明に係る物干し具によれば、前記物干し棚は、左右一対の支持アームを備え、該支持アームの取付部材側端には支持アーム用軸体が取付けられ、該支持アーム用軸体が前記取付部材に回動自在に取付けられているので、前記物干し棚を回動させるだけで置き干しでき、物干し作業を効率よく行うことができる。
【００１５】
また本発明に係る物干し具によれば、前記支持アームの取付部材側端部には、前記横パイプの外形に対応した凹溝状の横パイプ受け部が設けられ、前記横パイプに前記横パイプ受け部が当接され、前記物干し棚の回動が阻止されているので、前記物干し棚を回動させ、前記横パイプ受け部を前記横パイプに当接させるだけで、前記物干し棚を水平に保持することができ、前記物干し棚を保持するために別の部材等は必要なく、部材数を減らして安価に前記物干し具を製作することができる。
【図面の簡単な説明】
【００１６】
【図１】本発明に係る物干し具の使用姿勢を示す斜視図である。
【図２】本発明に係る物干し具の使用姿勢を示す右側面図である。
【図３】本発明に係る物干し具の非使用姿勢（ａ）から使用姿勢（ｃ）へ移行する状態を示す説明図である。
【図４】図１のＡ−Ａ矢視の部分断面図である。
【図５】図３のＢ部の拡大図である。
【図６】本発明に係る物干し具の非使用姿勢を示す正面図である。
【発明を実施するための形態】
【００１７】
次に、本発明を実施するための形態について図面を参照し、具体的に説明する。
【００１８】
Ｐは本発明に係る物干し具であって、２本の円筒パイプでなる棒状部材１，２の長手方向の中央部に回動継手３が取付けられ、水平軸芯Ｘ周りで回動自在に回動継手３を介して連結してなり、図３に示す矢印方向αに２本の棒状部材１，２を回動させることで、側面視において該２本の棒状部材１，２がＸ形状に交差軸着されて開閉自在となされた脚体４が、相対向して一対設けられ、該一対の脚体４の各棒状部材１，２の上端部間に横パイプ８，９が架け渡されるとともに、左右の前記回動継手３が円筒パイプでなる左右方向に長い軸部材５で連結されている。
【００１９】
前記左右の棒状部材１，２は、互いに同一側（左右方向外側同士と内側同士）の棒状部材１，２を、それらの上端で連結部材６，７を介して円筒状の横パイプ８，９にて連結されており、一方の棒状部材１，２を回動操作するだけで、横パイプ８，９を介して他方の棒状部材１，２も回動させることができるようになっている。また、前記横パイプ８，９には、物干し棚１０，１１がそれぞれ取付けられている。
【００２０】
前記左右の回動継手３はいずれも同一構成であるため、左側の回動継手３のみを説明する。
左右方向外側に位置する棒状部材１に外挿している合成樹脂製でトンネル形状の第１筒状部材１２の内側面に一体形成された第１円板状部１３と、この第１円板状部１３の内側に回動自在に重ね合わせた第２円板状部１４とから、回動継手３を構成している。前記第２円板状部１４は、前記内側に位置する棒状部材２に外挿している合成樹脂製でトンネル形状の第２筒状部材１５の外側面に一体形成されている。
【００２１】
前記物干し棚１０，１１は、２本の前記横パイプ８，９間に水平に、前記横パイプ８，９のそれぞれに、水平に、かつ相対向して取付けられている。そして、前記横パイプ８，９の左右端部には取付部材１６，１７が取付けられ、左右一対の前記取付部材１６，１７に前記物干し棚１０，１１の前後方向の一端を連結し、前記横パイプ８，９に対して前記物干し棚１０，１１を回動自在に取付けるようになされている。
【００２２】
前記物干し棚１０，１１は、左右方向の幅違いの同一構成であり、左右一対の支持アーム１８，１９と、それら支持アーム１８，１９間に前後方向に所定間隔を置いて掛け渡された４本の棒体２０とを備え、前記支持アーム１８，１９の取付部材側１０ａ，１１ａ端には支持アーム用軸体２１が左右方向に水平にそれぞれ取付けられ、該支持アーム用軸体２１が前記取付部材１６，１７に回動自在に取付けられて、前記支持アーム用軸体２１を回転軸芯として、前記物干し棚１０，１１が前記横パイプ８，９に回転自在に取付けられている。なお、前記支持アーム１８，１９間に掛け渡された棒体２０の本数は４本に限定されるものではなく、前記物干し棚１０，１１の大きさや、それに干す物の大きさなどにより適宜選定すればよい。
【００２３】
前記取付部材１６，１７は、その一端に前記横パイプ８，９を挿入する円筒状の横パイプ挿入部１６１，１７１を備えるとともに、前記横パイプ挿入部１６１，１７１の横パイプ８，９を挿入しない他端には、不用の際には前記横パイプ８，９内に収納することができ、使用の際には前記横パイプ８，９から引き出すことができる延伸パイプ２３，２４が設けられている。なお、前記延伸パイプ２３，２４が設けられていない実施形態においては、前記横パイプ挿入部１６１，１７１の横パイプ８，９を挿入しない他端は、閉塞されて形成されている。
【００２４】
また、前記横パイプ挿入部１６１，１７１の中央部から、前記脚体４の上端が挿入される円筒状の脚体挿入部１６２，１７２が下方に向けて突設されており、該脚体挿入部１６２，１７２下部の左右外側の側面には、前記脚体４が前記脚体挿入部１６２，１７２から抜けない様に、ねじＮが螺入されて、前記脚体４と前記脚体挿入部１６２，１７２とが固定されている。
【００２５】
更に、図１，図２，図３（ｃ）に示す物干し具Ｐの状態において、手前側に配置されている前記横パイプ９が挿入されている前記横パイプ挿入部１６１，１７１においては、その手前側の側面に斜め上方に向けて突設され、また奥側に配置されている前記横パイプ８が挿入される前記横パイプ挿入部１６１，１７１においては、その奥側の側面に斜め上方に向けて突設された軸体挿入部２２がそれぞれ設けられ、該軸体挿入部２２には、前記支持アーム１８，１９の取付部材側端１０ａ，１１ａを支持する前記支持アーム用軸体２１が挿入されて、前記物干し棚１０，１１が回転自在となる様に形成されている。
【００２６】
そして、前記支持アーム１８，１９の取付部材側端部１０ａ，１１ａには、前記横パイプ８，９の外形に対応した凹溝状の横パイプ受け部１８１，１９１が設けられ、前記物干し棚１０，１１を回動させ水平にした時、前記横パイプ８，９に前記横パイプ受け部１８１，１９１が当接され、前記物干し棚１０，１１の回動が阻止されて、前記物干し棚１０，１１の上側に枕やセーターなどを置いて、所謂置き干しすることができるようになされている。
【符号の説明】
【００２７】
１，２  棒状部材
３  回動継手
４  脚体
５  軸部材
６，７  連結部材
８，９  横パイプ
１０，１１  物干し棚
１０ａ，１１ａ  取付部材側端
１０ｂ，１１ｂ  遊端
１２  第一筒状部材
１３  第一円板状部材
１４  第二円板部材
１５  第二筒状部材
１６，１７  取付部材
１６１，１７１  横パイプ挿入部
１６２，１７２  脚体挿入部
１８，１９  支持アーム
１８１，１９１  横パイプ受け部
２０  棒体
２１  支持アーム用軸体
２２  軸体挿入部
２３，２４  延伸パイプ
Ｐ  物干し具
α  矢印方向
Ｘ  水平軸芯
Ｎ  ねじ
【図１】
2016007455.tif 000003
【図２】
2016007455.tif 000004
【図３】
2016007455.tif 000005
【図４】
2016007455.tif 000006
【図５】
2016007455.tif 000007
【図６】
2016007455.tif 000008